(57)【特許請求の範囲】
【請求項１】
内部の薬液を吸い上げる吸液芯を備えた液体容器が蒸散器本体の下部に設置され、蒸散器本体に設けられた発熱体によって吸液芯が加熱される加熱蒸散器において、
前記蒸散器本体は、
ネジ受けボスを備えた本体前ケースと、
前記発熱体を固定支持するとともに前記ネジ受けボスが挿入される貫通孔を備えた取付部材と、
前記貫通孔に挿入されたネジ受けボスをネジで締結するためのボス受け部を備えた本体後ケースと、
を有し、
前記本体前ケースと前記本体後ケースとで前記取付部材が位置決めされ、前記液体容器が前記位置決めされた取付部材により位置決めされることを特徴とする加熱蒸散器。
【請求項２】
前記ネジ受けボス、貫通孔、ボス受け部は、蒸散器本体正面からみて対称な位置にそれぞれ２つずつ設けられたことを特徴とする請求項１記載の加熱蒸散器。
【請求項３】
前記取付部材に本体後ケースへ取り付けるための突起部を設け、前記本体後ケースにこの突起部が嵌め込まれる嵌込口を設けたことを特徴とする請求項１又は２記載の加熱蒸散器。
【請求項４】
前記本体前ケースおよび本体後ケースは、両者を合わせたときに蒸散口が形成されるようにそれぞれ切欠部が設けられたものであって、
前記蒸散口は、吸液芯の挿入を可能としたリング状の発熱体の上方に配置されたことを特徴とする請求項１乃至３のいずれかに記載の加熱蒸散器。
【発明の詳細な説明】
【０００１】
【発明の属する技術分野】
本発明は、部屋の消臭や芳香等に用いられる加熱蒸散器に関する。
【０００２】
【従来の技術】
部屋の消臭や芳香等に適した薬液等の液体を気化・蒸散させる加熱蒸散器として、例えば特開平８−１４８号公報に記載のものが知られている。
【０００３】
加熱蒸散器の概要としては、内部の薬液を吸い上げる吸液芯を備えた液体容器を蒸散器本体の下部に設置し、蒸散器本体内部に設けられたヒータ等の発熱体によってこの吸液芯を加熱することで、薬液の気化・蒸散を促し、蒸散器本体の上方に設けられた蒸散口から外部へ拡散する構造となっている。
【０００４】
【発明が解決しようとする課題】
しかしながら、加熱蒸散器を構成する部品や締結用ネジの数が多く、組み立ての工程が複雑になるという不具合があった。
【０００５】
本発明は上記に鑑みてなされたものであり、その目的とするところは、簡易な組み立てを実現し得る加熱蒸散器を提供することにある。
【０００６】
【課題を解決するための手段】
上記目的を達成するため、請求項１記載の本発明は、内部の薬液を吸い上げる吸液芯を備えた液体容器が蒸散器本体の下部に設置され、蒸散器本体に設けられた発熱体によって吸液芯が加熱される加熱蒸散器において、前記蒸散器本体は、ネジ受けボスを備えた本体前ケースと、前記発熱体を固定支持するとともに前記ネジ受けボスが挿入される貫通孔を備えた取付部材と、前記貫通孔に挿入されたネジ受けボスをネジで締結するためのボス受け部を備えた本体後ケースと、を有し、前記本体前ケースと前記本体後ケースとで前記取付部材が位置決めされ、前記液体容器が前記位置決めされた取付部材により位置決めされることを特徴とする。
【０００７】
本発明にあっては、本体前ケースにネジ受けボスを、取付部材に貫通孔を、本体後ケースにボス受け部をそれぞれ設け、組み立ての際には本体前ケースのネジ受けボスを取付部材の貫通孔に挿入して本体後ケースのボス受け部に合わせ込み、このボス受け部を本体後ケースの背後からネジで締め付けるようにしたことで、本体前ケース、取付部材、本体後ケースの３部品の同時取り付けを可能としている。
【０００８】
請求項２記載の本発明は、請求項１記載の加熱蒸散器において、前記ネジ受けボス、貫通孔、ボス受け部は、蒸散器本体正面からみて対称な位置にそれぞれ２つずつ設けられたことを特徴とする。
【０００９】
本発明にあっては、ネジ受けボス、貫通孔、ボス受け部を蒸散器本体正面からみて対称な位置にそれぞれ２つずつ設けるようにしたことで、本体前ケース、取付部材、本体後ケースの３部品を２本のネジで固定可能としている。
【００１０】
請求項３記載の本発明は、請求項１又は２記載の加熱蒸散器において、前記取付部材に本体後ケースへ取り付けるための突起部を設け、前記本体後ケースにこの突起部が嵌め込まれる嵌込口を設けたことを特徴とする。
【００１１】
本発明にあっては、取付部材の突起部を本体後ケースの嵌込口に嵌め込むようにしたことで、取付部材と本体後ケースとを固定してネジ受けボスのネジ締め付けが簡単にできるようにしている。
【００１２】
請求項４記載の本発明は、請求項１乃至３のいずれかに記載の加熱蒸散器において、前記本体前ケースおよび本体後ケースは、両者を合わせたときに蒸散口が形成されるようにそれぞれ切欠部が設けられたものであって、前記蒸散口は、吸液芯の挿入を可能としたリング状の発熱体の上方に配置されたことを特徴とする。
【００１３】
本発明にあっては、本体前ケースおよび本体後ケースを合わせたときに蒸散口が形成されるようにするとともに、その蒸散口を吸液芯の挿入を可能としたリング状の発熱体の上方に配置するようにしたことで、吸液芯を発熱体のリングに挿入することにより蒸散口の真下に吸液芯がくるように位置決めすることができる。
【００１４】
【発明の実施の形態】
以下、本発明の実施の形態について図面を用いて説明する。
【００１５】
図１は一実施の形態における加熱蒸散器を分解したときの状態を示す斜視図、図２はこの加熱蒸散器を組み立てたときの状態を示す斜視図である。
【００１６】
蒸散器本体１の本体ケース１１は合成樹脂の材質で作られており、図１に示すように本体前ケース１１ａには、正面からみて左右対称の位置にネジ受けボス４０ａ，４０ｂが一体に形成される。
【００１７】
取付部材１７には、上部に加熱部１６が、中央部にパイロットランプ３３が、裏面下部にプラグ１２がそれぞれ取付けられる。また、取付部材１７には、左右対称の位置にネジ受けボス４０ａ，４０ｂを挿入するための貫通孔４１ａ，４１ｂが設けられるとともに、プラグ１２の下部に本体後ケース１１ｂに取り付けるための突起部４５が設けられている。
【００１８】
本体後ケース１１ｂには、貫通孔４１ａ，４１ｂを貫通したネジ受けボス４０ａ，４０ｂを受けて締結ネジ４３ａ，４３ｂによって締め付けるためのボス受け部４２ａ，４２ｂが一体に形成されるとともに、プラグ１２を嵌め込むためのプラグ嵌込口４６と突起部４５を嵌め込むための突起嵌込口４７とが設けられている。
【００１９】
本体前ケース１１ａ、取付部材１７、本体後ケース１１ｂを組み立てるときには、まず、取付部材１７の突起部４５を本体後ケース１１ｂの突起嵌込口４７に嵌め込みつつ、プラグ１２をプラグ嵌込口４６に嵌め込む。これによって取付部材１７と本体後ケース１１ｂとを仮止めする。図３はこのときの状態を示したものである。
【００２０】
次に、本体前ケース１１ａのネジ受けボス４０ａ，４０ｂを取付部材１７の貫通孔４１ａ，４１ｂにそれぞれ挿入し、ネジ受けボス４０ａ，４０ｂの各先端を本体後ケース１１ｂのボス受け部４２ａ，４２ｂにそれぞれ合わせ込む。
【００２１】
続いて、ボス受け部４２ａ，４２ｂを本体後ケース１１ｂの背後から締結ネジ４３ａ，４３ｂでそれぞれ締め付けることによって、本体前ケース１１ａ、取付部材１７、本体後ケース１１ｂの３部品を同時に取り付ける。
【００２２】
液体容器２は、販売時等においては吸液芯３がキャップ取付部２１の吸液芯挿入孔２２に挿入された状態で、キャップ取付部２１にキャップ４が取り付けられており、液体容器２を蒸散器本体１の下部に設置するときには、このキャップ４を取り外してから設置するようになっている。液体容器２の正面には、楕円状に形成された嵌込突起部２３が設けられている。
【００２３】
嵌込突起部２３は、液体容器２を蒸散器本体１の下部に設置するとき、蒸散器本体１の裾部を強制的に押し広げていき、蒸散器本体１に設けられた嵌込孔１４に嵌め込まれる。この蒸散器本体１の裾部が元に戻る復帰力によって液体容器２は支持される。
【００２４】
蒸散器本体１の本体ケース１１は、図２に示すように上方中央部に上下に貫通した丸孔状の蒸散口１５が、下部には正面からみて左右両側にスリット状の空気取入口１３がそれぞれ設けられている。
【００２５】
蒸散口１５は、本体前ケース１１ａおよび本体後ケース１１ｂのそれぞれに切欠部が設けられており、両ケースを合せたときにこれらの切欠部によって形成される。この蒸散口１５は、加熱部１６の上方にくるように配置される。
【００２６】
空気取入口１３は、総開口面積が蒸散口１５の開口面積よりも大きく設定され、空気取入口１５から上方の蒸散口１５へ向かう上昇気流が確実に確保されるようになっている。
【００２７】
図４は蒸散器本体１を正面から見たときの中央断面図であり、図５は蒸散器本体１を側面から見たときの中央断面図である。
【００２８】
操作レバー３１は、図４に示すように上下方向にスライド可能となっており、蒸散口１５の開口面積を調節できるようになっている。
【００２９】
加熱部１６は、絶縁材によって取り囲まれた加熱制御部１６ａと発熱体１６ｂとからなり、取付部材１７の上部に固定支持される。加熱制御部１６ａはプラグ１２と電気的に接続され、プラグ１２がコンセントに差し込まれると電流が流れて発熱体１６ｂに熱を与えるＰＴＣヒータとなっている。一方、発熱体１６ｂは、吸液芯３の外周を若干の隙間を有して取り囲むリング状に形成されている。なお、プラグ１２がコンセントに差し込まれたときにはパイロットランプ３３が点燈するようになっている。
【００３０】
取付部材１７は、中央部に設けられた吸液芯挿入孔３４の周囲の上面に吸液芯用の振止ガイド１８が、その下面にキャップ取付部用の振止ガイド１９がそれぞれ取付部材１７と一体に形成されている。
【００３１】
図６は液体容器２を下部に設置した加熱蒸散器を正面から見たときの中央断面図である。
【００３２】
吸液芯３は、液体容器２に収容された薬液２４を吸い上げるためのものであって、熱に強い材質で作られており、液体容器２を蒸散器本体１の下部に設置したときに加熱部１６の発熱体１６ｂから若干上方へ突出する長さに設定されている。
【００３３】
キャップ取付部用の振止ガイド１９は、キャップ取付部２１を周囲から押圧することにより液体容器２を蒸散器本体１の中央下部に支持する。
【００３４】
吸液芯用の振止ガイド１８は、吸液芯３をその軸が吸液芯挿入孔３４の中心および加熱部１６の吸液芯挿入孔３５のリング中心に合うように支持する。
【００３５】
このように構成された加熱蒸散器の作用について簡単に説明する。プラグ１２がコンセントに差し込まれると、加熱部１６によって吸液芯３に熱が与えられ、液体容器２に収容された薬液２４が吸液芯２に吸い上げられて気化・蒸散されるとともに、空気取入口１３から空気が取り込まれて上昇気流が生じ、気化した薬液２４が蒸散口１５から外部へ拡散される。
【００３６】
ここで、操作レバー３１を調節して蒸散口１５の開口面積を小さくした場合には、蒸散口通過時の流速が速くなるため気化した薬液２４が上方へ高く立ち上り、広い範囲に渡って拡散される。一方、蒸散口１５の開口面積を大きくした場合には、蒸散口通過時の流速が遅くなるため気化した薬液２４が低く立ち上り、狭い範囲に渡って拡散される。
【００３７】
したがって、本実施の形態によれば、本体前ケース１１ａにネジ受けボス４０を、取付部材１７に貫通孔４５を、本体後ケース１１ｂにボス受け部４２をそれぞれ設け、組み立ての際には本体前ケース１１ａのネジ受けボス４０を取付部材１７の貫通孔４１に挿入して本体後ケース１１ｂのボス受け部４２に合わせ込み、このボス受け部４２を本体後ケース１１ｂの背後から締結ネジ４３で締め付けるようにしたことで、本体前ケース、取付部材、本体後ケースの３部品の同時取り付けが可能となるので、組み立てを簡易にすることができる。
【００３８】
また、本実施の形態によれば、ネジ受けボス４０、貫通孔４１、ボス受け部４２を蒸散器本体正面からみて対称な位置にそれぞれ２つずつ設けるようにしたことで、本体前ケース１１ａ、取付部材１７、本体後ケース１１ｂの３部品を２本の締結ネジ４３ａ，４３ｂで固定可能になるので、締結ネジの数を最小限に抑えることができる。
【００３９】
さらに、本実施の形態によれば、取付部材１７のプラグ１２の下部に設けた突起部４５を本体後ケース１１ｂの突起嵌込口４７に嵌め込むようにしたことで、取付部材１７と本体後ケース１１ｂとが固定されるので、本体前ケース１１ａのネジ受けボス４０のネジ締め付けを簡単にすることができる。
【００４０】
【発明の効果】
以上説明したように、請求項１記載の本発明によれば、本体前ケースにネジ受けボスを、取付部材に貫通孔を、本体後ケースにボス受け部をそれぞれ設け、組み立ての際には本体前ケースのネジ受けボスを取付部材の貫通孔に挿入して本体後ケースのボス受け部に合わせ込み、このボス受け部を本体後ケースの背面からネジで締め付けるようにしたことで、本体前ケース、取付部材、本体後ケースの３部品の同時取り付けが可能となるので、組み立てを簡易にすることができる。
【００４１】
請求項２記載の本発明によれば、ネジ受けボス、貫通孔、ボス受け部を蒸散器本体正面からみて対称な位置にそれぞれ２つずつ設けるようにしたことで、本体前ケース、取付部材、本体後ケースの３部品を２本のネジで固定可能になるので、ネジの数を最小限に抑えることができる。
【００４２】
請求項３記載の本発明によれば、取付部材の突起部を本体後ケースの嵌込口に嵌め込むようにしたことで、取付部材と本体後ケースとが固定されるので、本体前ケースのネジ受けボスのネジ締め付けを簡単にすることができる。
【００４３】
請求項４記載の本発明によれば、本体前ケースおよび本体後ケースを合わせたときに蒸散口が形成されるようにするとともに、その蒸散口を吸液芯の挿入を可能としたリング状の発熱体の上方に配置するようにしたことで、吸液芯を発熱体のリングに挿入することにより蒸散口の真下に吸液芯がくるように位置決めすることができる。
【図面の簡単な説明】
【図１】一実施の形態における加熱蒸散器を分解したときの状態を示す斜視図である。
【図２】加熱蒸散器を組み立てたときの状態を示す斜視図である。
【図３】蒸散器本体の裏面を示す斜視図である。
【図４】蒸散器本体を正面から見たときの中央断面図である。
【図５】蒸散器本体を側面から見たときの中央断面図である。
【図６】液体容器を下部に設置した加熱蒸散器を正面から見たときの中央断面図である。
【符号の説明】
１  蒸散器本体
２  液体容器
３  吸液芯
４  キャップ
１１ａ，１１ｂ  本体ケース
１２  プラグ
１３  空気取入口
１４  嵌込孔
１５  蒸散口
１６  加熱部
１６ａ  加熱制御部
１６ｂ  発熱体
１７  取付部材
１８  吸液芯用振止ガイド
１９  キャップ取付部用振止ガイド
２１  キャップ取付部
２２  挿入孔
２３  嵌込突起部
３１  操作レバー
３３  パイロットランプ
３４  吸液芯挿入孔
３５  吸液芯挿入孔
４０ａ，４０ｂ  ネジ受けボス
４１ａ，４１ｂ  貫通孔
４２ａ，４２ｂ  ボス受け部
４３ａ，４３ｂ  締結ネジ
４５  突起部
４６  プラグ嵌込口
４７  突起嵌込口
【図１】
0004499913.tif 000002
【図２】
0004499913.tif 000003
【図３】
0004499913.tif 000004
【図４】
0004499913.tif 000005
【図５】
0004499913.tif 000006
【図６】
0004499913.tif 000007